(57)【特許請求の範囲】
【請求項１】
ビディング商品ショッピングモールサーバーが、オンラインまたはオフライン上で販売したり販売したショッピング商品の販売量と連動させてショッピング商品のビディング開始価格を決定するビディング開始価格決定過程；
ビディング商品ショッピングモールサーバーが、ビディング商品に競売入札できるビディング資格を有する顧客が使う通信端末機にビディング商品情報、ビディング入札日程、ビディング開始価格を伝送するビディング情報伝送過程；
前記ビディング商品ショッピングモールサーバーが、あらかじめ設定されたビディング入札期間の間、前記ビディング資格を有する顧客を対象に前記ビディング開始価格を最小価格にするビディング入札を進行して、ビディング入札に参加するビディング参加者の中から落札者を決定する落札者決定過程；
前記ビディング商品ショッピングモールサーバーが、落札者の入札価格でビディング商品の販売を進行させるビディング商品販売過程；を含み、
前記ショッピング商品の販売量と連動させてビディング商品のビディング開始価格を決定することは、
ビディング商品の登録時に管理者によって設定される割引率（％）により算出される連動価格によってビディング開始価格が決定され、前記ビディング開始価格は、「ビディング開始価格＝ビディング商品消費者価格−連動価格×ショッピング商品販売数量」により決定される
ことを特徴とする商品の販売量と連動するビディング商品の競売方法。
【請求項２】
前記ビディング商品に競売入札できるビディング資格を有する顧客は、
ビディング商品を競売入札するショッピングモールのオンラインまたはオフライン上で、以前にショッピング商品を購入した履歴がある顧客である
請求項１に記載の商品の販売量と連動するビディング商品の競売方法。
【請求項３】
前記ショッピング商品の販売量と連動させてビディング商品のビディング開始価格を決定することは、
ショッピング商品の販売量が多いほどビディング開始価格が低くなるように決定することである
請求項１に記載の商品の販売量と連動するビディング商品の競売方法。
【請求項４】
前記連動価格は、
「連動価格＝ビディング商品消費者価格／ショッピング商品販売数量×割引率（％））」により算出される
請求項１に記載の商品の販売量と連動するビディング商品の競売方法。
【請求項５】
前記落札者決定過程は、
前記ビディング入札期間の間、ビディング入札に参加するビディング参加者の通信端末機から前記ビディング開始価格以上の希望購入価格を受信してビディング入札を受けるビディング入札過程；
希望購入価格を高く提示した順にビディング参加者の入札順位を算出する入札順位算出過程；
入札順位が高い順に落札者を決定するビディング落札過程；を含む
請求項１に記載の商品の販売量と連動するビディング商品の競売方法。
【請求項６】
前記ビディング商品販売過程は、
希望購入価格を高く提示して入札した順にビディング参加者リストと購入希望価格を整列した入札順位結果をビディング参加者の通信端末機に伝送する入札順位結果通知過程；
希望購入価格を高く提示して入札したビディング参加者の順にビディング商品の販売を進行させる入札順位連動販売過程；を含む
請求項５に記載の商品の販売量と連動するビディング商品の競売方法。
【請求項７】
前記入札順位連動販売過程は、
希望購入価格を最も高く提示した最高額入札順位のビディング参加者の通信端末機に、入札された希望購入価格で商品を購入することを要請する商品購買要請過程；
あらかじめ定められた商品販売期間内に前記最高額入札順位のビディング参加者から商品の購買決済を受けて商品の販売を完了する商品販売完了過程；
前記商品販売期間内に商品の購買決済が行われない場合、その次の入札順位を有する次順位ビディング参加者の通信端末機に、入札された希望購入価格で商品を購入することを要請する次順位購買要請過程；
準備された個数のビディング商品がすべて販売完了するまで前記次順位購買要請過程を繰り返す過程；を含む
請求項６に記載の商品の販売量と連動するビディング商品の競売方法。
【発明の詳細な説明】
【技術分野】
【０００１】
本発明はビディング商品の競売方法であって、効率的なビディング商品の競売が行われるビディング商品の競売方法に関する。
【背景技術】
【０００２】
既存のショッピングモールには、ユーザーの情報および商品情報を管理するデータベースと、ウェブサーバー、メールサーバーなどで構成されており、単純に購入しようとする商品を検索して購入する機能しかなかった。
【０００３】
従来のインターネット競売に関してリアルタイム言い値情報通知機能を提供する競売サービス方法は、特定の競売品に関する新しい言い値情報が受信されると、該当加入者に受信された言い値情報をリアルタイムで伝送するリアルタイム言い値情報通知手続きを含んで構成されるものである。すなわち、従来のリアルタイム言い値情報通知機能を有するインターネット競売サービス方法は、特定の競売品に関する新しい言い値情報が受信されると、該当加入者に受信された言い値情報をリアルタイムで伝送するリアルタイム言い値情報通知手続きを含んで構成される。この時、リアルタイム言い値情報通知手続きは、加入者から競売品別に競売参加申し込みを受けてこれをデータベースに保存する第１段階、競売参加者が応札価格が言い値である時には該当競売品の現在価格を更新するとともに、該当競売品に対する競売参加者情報を検索する第２段階、および第２段階での捜し出したすべての参加者乃至加入者に受信された言い値情報をリアルタイムで伝送する第３段階を含むように構成して実施される。
【０００４】
ところで、既存のリアルタイム言い値情報通知機能を有するインターネット競売サービス方法は、競売を開始するときの価格があらかじめ決定されているため競売参加者の関心が落ちるしかなかった。また言い値情報をリアルタイムで提供して言い値競争を誘導するが、実際に商品の購買までは行われない場合が多い。
【発明の概要】
【発明が解決しようとする課題】
【０００５】
本発明の技術的課題は商品の販売量と連動するビディング商品の競売方法を提供して効率的なビディング商品の競売が行われるようにするところにある。
【課題を解決するための手段】
【０００６】
本発明の実施形態は、ビディング商品ショッピングモールサーバーが、オンラインまたはオフライン上で販売したり販売したショッピング商品の販売量と連動させてショッピング商品のビディング開始価格を決定するビディング開始価格決定過程；ビディング商品ショッピングモールサーバーが、ビディング商品に競売入札できるビディング資格を有する顧客が使う通信端末機にビディング商品情報、ビディング入札日程、ビディング開始価格を伝送するビディング情報伝送過程；前記ビディング商品ショッピングモールサーバーが、あらかじめ設定されたビディング入札期間の間、前記ビディング資格を有する顧客を対象に前記ビディング開始価格を最小価格にするビディング入札を進行してビディング入札に参加するビディング参加者の中から落札者を決定する落札者決定過程；および前記ビディング商品ショッピングモールサーバーが、落札者の入札価格でビディング商品の販売を進行させるビディング商品販売過程；を含むことができる。
【０００７】
前記ビディング商品に競売入札できるビディング資格を有する顧客は、ビディング商品を競売入札するショッピングモールのオンラインまたはオフライン上で、以前にショッピング商品を購入した履歴がある顧客であることを特徴とすることができる。
【０００８】
前記ショッピング商品の販売量と連動させてビディング商品のビディング開始価格を決定することは、ショッピング商品の販売量が多いほどビディング開始価格が低くなるように決定することができる。
【０００９】
前記ショッピング商品の販売量と連動させてビディング商品のビディング開始価格を決定することは、ビディング商品の登録時に管理者によって設定される割引率（％）により算出される連動価格によってビディング開始価格が決定され、前記ビディング開始価格は、「ビディング開始価格＝ビディング商品消費者価格−連動価格×ショッピング商品販売数量」により決定される。
【００１０】
前記連動価格は、「連動価格＝ビディング商品消費者価格／ショッピング商品販売数量×割引率（％））」により算出されることを特徴とすることができる。
【００１１】
前記落札者決定過程は、前記ビディング入札期間の間、ビディング入札に参加するビディング参加者の通信端末機から前記ビディング開始価格以上の希望購入価格を受信してビディング入札を受けるビディング入札過程；希望購入価格を高く提示した順にビディング参加者の入札順位を算出する入札順位算出過程；および入札順位が高い順に落札者を決定するビディング落札過程；を含むことができる。
【００１２】
前記ビディング商品販売過程は、希望購入価格を高く提示して入札した順にビディング参加者リストと購入希望歌を整列した入札順位結果をビディング参加者の通信端末機に伝送する入札順位結果通知過程；および希望購入価格を高く提示して入札したビディング参加者の順にビディング商品の販売を進行させる入札順位連動販売過程；を含むことができる。
【００１３】
前記入札順位連動販売過程は、希望購入価格を最も高く提示した最高額入札順位のビディング参加者の通信端末機に、入札された希望購入価格で商品を購入することを要請する商品購買要請過程；あらかじめ定められた商品販売期間内に前記最高額入札順位のビディング参加者から商品の購買決済を受けて商品の販売を完了する商品販売完了過程；前記商品販売期間内に商品の購買決済が行われない場合、その次の入札順位を有する次順位ビディング参加者の通信端末機に、入札された希望購入価格で商品を購入することを要請する次順位購買要請過程；および準備された個数のビディング商品がすべて販売完了するまで前記次順位購買要請過程を繰り返す過程；を含むことができる。
【発明の効果】
【００１４】
本発明の実施形態によると、商品の販売量と連動するビディング商品の競売方法を提供することによって、多様な商品販売応用分野で活用され得る。
【図面の簡単な説明】
【００１５】
【図１】本発明の実施例に係るショッピング商品の販売量と連動するビディング商品の競売システムの構成図
【図２】本発明の実施例に係る通信端末機の構成ブロック図
【図３】本発明の実施例に係るショッピング商品の販売量と連動するビディング商品の競売過程を図示したフローチャート
【図４】本発明の実施例によりショッピング商品の販売量と連動されてビディング開始価格が決定される例示図
【図５】本発明の実施例に係るビディング開始価格が表示された通信端末機を図示した説明図
【図６】本発明の実施例に係る落札者決定過程のフローチャート
【図７】本発明の実施例に係るビディング商品販売過程のフローチャート
【図８】本発明の実施例に係る入札順位結果が表示された通信端末機を図示した説明図
【発明を実施するための形態】
【００１６】
以下、本発明の長所および特徴、そして、それらを達成する方法は、添付される図面と共に詳細に後述されている実施例を参照すると明確になる。本発明は、以下で開示される実施例に限定されるものではなく、互いに異なる多様な形態で具現され得うものであって、本発明が属する技術分野で通常の知識を有する者に発明の範疇を完全に知らせるために提供されるものであり、本発明は請求項の範疇によって定義される。また、本発明の説明において、関連した公知の技術などが本発明の要旨を曖昧にさせる恐れがあると判断される場合、それに関する詳しい説明は省略することにする。
【００１７】
図１は本発明の実施例に係るショッピング商品の販売量と連動するビディング商品の競売システムの構成図であり、図２は本発明の実施例に係る通信端末機の構成ブロック図である。
【００１８】
本発明のショッピング商品の販売量と連動するビディング商品の競売システムは、有無線通信網１００、通信端末機２００、およびビディング商品ショッピングモールサーバー３００を含むことができる。
【００１９】
有無線通信網１００は、通信端末機２００とビディング商品ショッピングモールサーバー３００間に有線通信または無線通信を提供する。このような有無線通信網１００が無線通信網で具現される場合、基地局（ＢＴＳ；Ｂａｓｅ  Ｔｒａｎｓｃｅｉｖｅｒ  Ｓｔａｔｉｏｎ）、移動交換局（ＭＳＣ；Ｍｏｂｉｌｅ  Ｓｗｉｔｃｈｉｎｇ  Ｃｅｎｔｅｒ）、およびホーム位置登録器（ＨＬＲ；Ｈｏｍｅ  Ｌｏｃａｔｉｏｎ  Ｒｅｇｉｓｔｅｒ）からなる無線移動通信網を利用してデータ通信をすることができる。また、有無線通信網１００が有線通信網で具現される場合、ネットワーク通信網で具現され得るが、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等のインターネットプロトコルにしたがってデータ通信が行われ得る。
【００２０】
通信端末機２００は顧客が使う端末機であって、図面ではスマートフォン（ｓｍａｒｔ  ｐｈｏｎｅ）を例に挙げて説明するが、スマートフォンだけでなくデスクトップＰＣ（ｄｅｓｋｔｏｐ  ＰＣ）、タブレットＰＣ（ｔａｂｌｅｔ  ＰＣ）、スレートＰＣ（ｓｌａｔｅ  ＰＣ）、ノートパソコン（ｎｏｔｅｂｏｏｋ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション（Ｎａｖｉｇａｔｉｏｎ）等が該当し得る。もちろん、本発明が適用可能な端末機は前述した種類に限定されず、外部装置と通信が可能な端末機をすべて含むことができることは言うまでもない。
【００２１】
ビディング商品に競売入札できるビディング資格を有する顧客は、自身の通信端末機２００を利用してビディング商品ショッピングモールサーバー３００に接続してビディング商品入札競売に参加することができる。ここで、ビディング商品に競売入札できるビディング資格を有する顧客とは、ビディング商品を競売入札するショッピングモールのオンラインまたはオフライン上で、以前に該当ディルの商品を購入した履歴がある顧客のみが該当し得る。したがって、ショッピング商品を販売する場合、ボーナスイベント行事として、ショッピング商品を購入した顧客にビディング商品を競売入札できるビディング資格を付与することができる。
【００２２】
参考として、ビディング（ｂｉｄｄｉｎｇ）とは、競売入札時に希望購入価格を提示する入札行為を指す。したがって、ビディング商品とは競売入札によって落札価格で販売される商品を指す。
【００２３】
通信端末機２００は図２に図示した通り、端末機通信部２１０、端末機表示部２２０、端末機入力部２３０、およびビディング入札アプリケーション２４０を含むことができる。
【００２４】
端末機通信部２１０は、移動通信網を通じて外部のビディング商品ショッピングモールサーバー３００と通信する機能を遂行するモジュールであって、３Ｇ、４Ｇなどの移動通信を遂行する場合には、無線送信される信号の周波数を上昇変換および増幅するＲＦ送信機（図示されず）と、受信される無線信号を低雑音増幅し周波数を下降変換するＲＦ受信機（図示されず）等を含む。
【００２５】
端末機表示部２２０は、ビディング商品ショッピングモールサーバー３００から受信したビディング商品情報、ビディング入札日程、ビディング開始価格を表示する。そして、ビディング入札に参加した場合にビディング入札結果を受信して表示する。
【００２６】
端末機入力部２３０は、ビディング入札の入力を受ける。端末機入力部２３０と端末機表示部２２０はタッチスクリーンパネルの単一形態で具現され得る。タッチスクリーンパネルは、入力と表示を同時に遂行できるタッチスクリーン画面を提供して端末機の前面に設けられて作業画面を表示する表示窓であって、疎通のためのグラフィックユーザーインタフェース（ＧＵＩ；Ｇｒａｐｈｉｃ  Ｕｓｅｒ  Ｉｎｔｅｒｆａｃｅ）を表示する。
【００２７】
ビディング入札アプリケーション２４０は、ビディング入札進行時にビディング商品希望購入価格の入力を受けてビディング商品ショッピングモールサーバー３００に伝送する。そして、ビディング入札結果を受信して端末機表示部２２０に表示する。参考として、スマートフォン（ｓｍａｒｔ  ｐｈｏｎｅ）等で具現される通信端末機２００は、数百種余りの多様なアプリケーション（アプリケーション）をユーザーの所望通に設置し、追加または削除することができ、ユーザーが所望するアプリケーションを直接製作することもでき、多様なアプリケーションを通じて自分に適合なインターフェースを具現することができる。したがって、グーグルマーケット、アップルストアなどでビディング入札アプリケーション２４０をダウンロードしてスマートフォンに設置することができる。
【００２８】
このようなビディング入札アプリケーション２４０の機能は、ビディング商品ショッピングモールサーバー３００で提供するホームページなどに代替されて具現できることは言うまでもない。
【００２９】
一方、前記説明において、本発明は、通信端末機２００のビディング入札アプリケーション２４０を通じてオンライン上でビディング商品に入札する例を説明したが、本発明はオンラインだけでなくオフライン上でもビディング入札が可能であることは自明である。すなわち、ビディングに参加可能な提携社検索サービスや各種イベントおよびオン、オフラインプロモーションなどのような多様なオフライン業務の進行が可能である。
【００３０】
提携業者は、販売、サービス、宿泊、飲食業、フランチャイズ、コンビニ、旅行会社などの多様な業者となり得、オフライン提携業者の利用顧客は、商品購買、サービス利用などの決済と同時に入札権が付与されることになる。ここで入札権の付与は業者および現場の状況に合う方法を採択して提供する。
【００３１】
また、提携業者の状況に合わせてオフライン入札権付与方式が決定され得る。例えば、物やサービス利用の決済時に、バーコードを利用して入札権の付与および参加したり、提携社の管理ページを通じて、顧客の携帯電話番号認証の後に自動でクーポン番号文字で伝送参加可能である。また、オンライン接続が難しい提携業者の場合、クーポン番号出力印刷物を顧客に贈呈、顧客が直接認証後に入札に参加することが可能であり得る。
【００３２】
ビディング商品ショッピングモールサーバー３００は、ビディング入札参加意思の通知期間の間、ビディング参加者を対象にビディング商品に対する競売入札過程を経て販売するショッピングモールサーバーである。ビディング商品ショッピングモールサーバー３００は、ハードウェア的には通常のウェブサーバーと同じ構成を有し、ソフトウェア的にはＣ、Ｃ＋＋、Ｊａｖａ（登録商標）、Ｖｉｓｕａｌ  Ｂａｓｉｃ、Ｖｉｓｕａｌ  Ｃなどのような多様な形態の言語を通じて具現されて、多様な機能をするプログラムモジュールを含む。また、一般的なサーバー用ハードウェアに、ドース（ｄｏｓ）、ウインドウ（ｗｉｎｄｏｗ）、リナックス（登録商標）（ｌｉｎｕｘ）、ユニックス（ｕｎｉｘ）、マッキントッシュ（ｍａｃｉｎｔｏｓｈ）等の運営体制により多様に提供されているウェブサーバープログラムを利用して具現され得る。
【００３３】
ビディング商品ショッピングモールサーバー３００は、企画または限定商品を販売するホームページ上で、ショッピングの対象となる複数の企画または限定商品（ビディング商品）と、ビディング開始価格が連動するビディング商品（例えば、名品）が掲示され、特定時間の間ショッピング商品を購入した購買者にビディング商品の開始価格を公開（特定時間が過ぎた後には非公開）して、該当購買者にビディング商品のビディング価格を入力するようにしてビディング価格が最も高い購買者にビディング商品を販売する。
【００３４】
このために、ビディング商品ショッピングモールサーバー３００は、ビディング商品に競売入札できるビディング資格を有する顧客が使う通信端末機２００に、ビディング商品情報、ビディング入札日程、ビディング開始価格を伝送し、オンラインまたはオフライン上で販売されたショッピング商品の販売量と連動させてビディング商品のビディング開始価格を決定する。
【００３５】
そして、ビディング資格がある顧客の通信端末機２００にビディング開始価格を伝送し、ビディング入札期間の間、ビディング開始価格を最小価格にするビディング入札を進行して、ビディング入札に参加するビディング参加者の中から落札者を決定する。そして、落札者の入札価格でビディング商品の販売を進行させる。
【００３６】
図３は本発明の実施例に係るショッピング商品の販売量と連動するビディング商品の競売過程を図示したフローチャートであり、図４は本発明の実施例によりショッピング商品の販売量と連動されてビディング開始価格が決定される例示図であり、図５は本発明の実施例に係るビディング開始価格が表示された通信端末機を図示した図であり、図６は本発明の実施例に係る落札者決定過程のフローチャートであり、図７は本発明の実施例に係るビディング商品販売過程のフローチャートであり、図８は本発明の実施例に係る入札順位結果が表示された通信端末機を図示した図である。
【００３７】
本発明の商品の販売量と連動するビディング商品の競売過程は、図３に図示した通り、ビディング開始価格決定過程Ｓ３１０、ビディング情報伝送過程Ｓ３２０、落札者決定過程Ｓ３５０、およびビディング商品販売過程Ｓ３６０を含むことができる。
【００３８】
ビディング商品ショッピングモールサーバー３００は、オンラインまたはオフライン上で販売されたり販売されたショッピング商品の販売量と連動させてビディング商品のビディング開始価格を決定するビディング開始価格決定過程Ｓ３１０を有する。
【００３９】
ショッピング商品の販売量と連動させてビディング商品のビディング開始価格を決定することは、ショッピング商品の販売量が多いほどビディング開始価格が低くなるように決定する。
【００４０】
また販売されたショッピング商品の返品または払い戻しが行われた場合、返品または払い戻しが行われた個数に比例してビディング開始価格が高くなるように決定する。ショッピング商品の販売が返品または払い戻しされて取り消しになる場合、これをリアルタイムで反映してビディング開始価格が調整されて決定されるようにするためである。
【００４１】
一方、ショッピング商品の販売量と連動させてビディング商品のビディング開始価格を決定することは、ビディング商品の登録時に管理者によって設定される割引率（％）により算出される連動価格によってビディング開始価格が決定されるようにすることができる。ビディング開始価格は、「ビディング開始価格＝ビディング商品消費者価格−連動価格×ショッピング商品販売数量」により決定されるようにする。
【００４２】
ここで連動価格は、「連動価格＝ビディング商品消費者価格／ショッピング商品販売数量×割引率（％））」により算出され得る。ここで連動価格は、一般商品のマージン率による販売業者の損益分岐点を考慮した損害を最小化するために、ビディング商品の登録時に割引率（％）を適用して一般商品の購買によるビディング商品入札開始価格の下落率を調整する安全装置機能を遂行することになる。したがって、前記連動価格の公式を適用すると、図４（ａ）および図４（ｂ）に図示したビディング開始価格が導き出され得る。
【００４３】
参考として、商品の構成は基本的にショッピング商品（在庫：１０）：ビディング商品（在庫：１）の比率で進行するが、場合により、ショッピング商品の在庫やビディング商品の在庫や連動商品の範囲が変わり得る。
【００４４】
一方、ビディング開始価格が決定すると、ビディング商品ショッピングモールサーバー３００が、ビディング商品に競売入札できるビディング資格を有する顧客が使う通信端末機２００に、ビディング商品情報、ビディング入札日程、およびビディング開始価格を伝送するビディング情報伝送過程Ｓ３２０を有する。ここで、ビディング商品に競売入札できるビディング資格を有する顧客とは、ビディング商品を競売入札するショッピングモールのオンラインまたはオフライン上で、以前にショッピング商品を購入した履歴がある顧客のみが該当し得る。例えば、顧客に感謝を込めて、商品を販売するホームページ上でショッピングの対象となる複数の企画または限定商品であるビディング商品を競売入札して販売しようとする場合、ショッピング商品を、以前に購入した購買履歴がある顧客を対象に、ビディング商品の競売に参加できるようにする顧客感謝イベント等として活用され得る。
【００４５】
通信端末機２００は、ビディング商品ショッピングモールサーバー３００から受信したビディング商品情報、ビディング入札日程、およびビディング開始価格を表示Ｓ３３０するようになり、したがって、通信端末機２００はビディング商品情報、ビディング入札日程、およびビディング開始価格などを図５のように表示するようになり、ビディング参加者はこれを確認してビディング商品の競売入札に参加Ｓ３４０できるようになる
【００４６】
競売入札時にビディング参加者の通信端末機２００は、希望購入価格の入力を受けてビディング参加することになる。ここで、希望購入価格はビディング開始価格より高いか同じでなければならず、ビディング開始価格よりも低い希望購入価格を入力するときには入札が不可能となるようにする。
【００４７】
ビディング入札期間の間ビディング参加者の競売入札が行われた後、ビディング商品ショッピングモールサーバー３００は、ビディング入札期間の間ビディング開始価格を最小価格にするビディング入札を進行して、ビディング入札に参加するビディング参加者の中から落札者を決定する落札者決定過程Ｓ３５０を有する。
【００４８】
このような落札者決定過程Ｓ３５０は図６に図示した通り、ビディング入札期間の間、ビディング入札に参加するビディング参加者の通信端末機２００からビディング開始価格以上の希望購入価格を受信してビディング入札を受けるビディング入札過程Ｓ３５１と、希望購入価格を高く提示した順にビディング参加者の入札順位を算出する入札順位算出過程Ｓ３５２と、販売されるビディング商品の個数に合わせて入札順位が高い順に落札者を決定するビディング落札過程Ｓ３５３を有する。
【００４９】
そして、落札者決定過程Ｓ３５０があった後、ビディング商品ショッピングモールサーバー３００は、落札者の入札価格でビディング商品の販売を進行させるビディング商品販売過程Ｓ３６０を有する。
【００５０】
このようなビディング商品販売過程Ｓ３６０は、図７に図示した通り、希望購入価格を高く提示して入札した順にビディング参加者リストと購入希望価格を整列した入札順位結果を、ビディング参加者の通信端末機に伝送する入札順位結果通知過程Ｓ３６１と、希望購入価格を高く提示して入札したビディング参加者の順にビディング商品の販売を進行させる入札順位連動販売過程Ｓ３６２を有する。入札順位結果を通報された通信端末機２００は図８に図示した通り、入札順位結果を表示してビディング参加者が入札結果が分かるようにする。
【００５１】
前記入札順位連動販売過程Ｓ３６２は、希望購入価格を高く提示して入札したビディング参加者の順にビディング商品の販売を進行させるものであるが、例えば、ビディング価格提示者の中で最高額提示者に通知および販売し、もし、未入金時に次順位者に購買の意向を打診してビディング商品を販売するものである。
【００５２】
このために入札順位連動販売過程Ｓ３６２は、商品購買要請過程、商品販売完了過程、次順位購買要請過程、および次順位購買繰り返し過程を有する。
【００５３】
商品購買要請過程Ｓ３６２１は、希望購入価格を最も高く提示した最高額入札順位のビディング参加者の通信端末機に、入札された希望購入価格で商品を購入することを要請する過程である。
【００５４】
商品販売完了過程は、あらかじめ定められた商品販売期間内に最高額入札順位のビディング参加者から商品の購買決済を受けて商品の販売を完了する過程である。最高額入札順位のビディング参加者が落札を受けたビディング商品を購入しようとする場合、自分が入札した希望購入価格を決済Ｓ３６２４して該当商品を購入することができる。
【００５５】
商品の販売期間内に商品の購買決済が行われたかを判断Ｓ３６２２して、もし、商品の販売期間内に商品の購買決済が行われない場合、その次の入札順位を有する次順位ビディング参加者の通信端末機に、入札された希望購入価格で商品を購入することを要請する次順位購買要請過程Ｓ３６２３を有する。
【００５６】
このような次順位購買要請過程Ｓ３６２３は、準備された個数のビディング商品がすべて販売完了したかを判断Ｓ３６２５して、準備された個数のビディング商品がすべて販売完了するまで次順位購買要請過程が繰り返される。したがって、高い購入希望価格を提示した入札者から優先購買権を提供することによって、高い価格でビディング商品を販売できるようになる。
【００５７】
前述した本発明の説明での実施例は、多様な実施可能な例のうち、当業者の理解を助けるために最も好ましい例を選定して提示したものであって、この発明の技術的思想が必ずしもこの実施例によってのみ限定または制限されるものではなく、本発明の技術的思想を逸脱しない範囲内で多様な変化と変更および均等な他の実施例が可能である。
【図１】
0006823736.tif 000002
【図２】
0006823736.tif 000003
【図３】
0006823736.tif 000004
【図４】
0006823736.tif 000005
【図５】
0006823736.tif 000006
【図６】
0006823736.tif 000007
【図７】
0006823736.tif 000008
【図８】
0006823736.tif 000009